(57)【要約】【課題】建物の外壁、あるいは擁壁などの土木構造物の壁面を効率的に緑化可能な壁面緑化構造体および壁面緑化工法を提供する。【解決手段】コンクリートを主体とする構造体１と当該構造体１の表面部に取り付けられた緑化促進用パネル２と当該緑化促進用パネル２に取り付けられた植生基盤材７とから構成する。緑化促進用パネル２は突部と凹部が交互に隣接する凹凸状に形成された複数のラス金網４，４を重ね合わせて形成する。植生基盤材７は前記複数のラス金網４，４の間に取り付ける。【選択図】図７
2008263958.tif 000002
【特許請求の範囲】
【請求項１】
コンクリートを主体とする構造体と当該構造体の表面部に取り付けられた緑化促進用パネルと植生基盤材とからなり、前記緑化促進用パネルは凹部と凸部が交互に隣接して凹凸状に形成された複数のラス金網を重ね合わせて構成され、前記植生基盤材は前記複数のラス金網の間に取り付けられていることを特徴とする壁面緑化構造体。
【請求項２】
前記ラス金網のうち、表面側に配置されたラス金網の凹部の内法幅および深さが、その背面側に配置されたラス金網の凹部の内法幅および深さよりも小さく、かつ表面側に配置されたラス金網の表面側の凹部を緑化促進用空間としたことを特徴とする請求項１記載の壁面緑化構造体。
【請求項３】
コンクリートを主体とする構造体と当該構造体の表面部に取り付けられた緑化促進用パネルと植生基盤材とからなり、前記緑化促進用パネルは凹部と凸部が交互に隣接して凹凸状に形成されたラス金網と平板状に形成されたラス金網を重ね合わせて構成され、前記植生基盤材は前記複数のラス金網の間に取り付けられていることを特徴とする壁面緑化構造体。
【請求項４】
ラス金網は、縦型亀甲状網部と複数の補強リブを交互に配置して構成されていることを特徴とする請求項１〜３のいずれかに記載の壁面緑化構造体。
【請求項５】
コンクリートを主体とする構造体と当該構造体の表面部に取り付けられた緑化促進用パネルと植生基盤材とからなり、前記緑化促進用パネルは凹部と突部が交互に隣接して凹凸状に形成されたラス金網から構成され、前記植生基盤材は前記構造体と前記緑化促進用パネルとの間に取り付けられ、かつ前記緑化促進用パネルの表面側の凹部を緑化促進用空間としたことを特徴とする壁面緑化構造体。
【請求項６】
コンクリートを主体とする構造体の壁面緑化工法であって、ラス金網からなる緑化促進用パネルに植生基盤材を取り付ける工程と、前記緑化促進用パネルを堰板にしてコンクリート型枠を組み立てる工程と、前記コンクリート型枠内にコンクリートを打設する工程とからなることを特徴する壁面緑化工法。
【請求項７】
緑化促進用パネルに植生基盤材を先付けし、当該緑化促進用パネルと前記植生基盤材を同時に設置することを特徴とする請求項６記載の壁面緑化工法。
【発明の詳細な説明】
【技術分野】
【０００１】
本発明は壁面緑化構造体および壁面緑化工法に関し、主として都心に建つ建物や擁壁などの土木構造物の壁面緑化に適用されるものである。
【背景技術】
【０００２】
近年、特に大都市では地球温暖化とこれを上回るスピードで気温が上昇する、いわゆるヒートアイランド現象などの環境問題を背景に、建物の屋上や壁面を緑化することが注目されてきている。
【０００３】
こうした建物の屋上や壁面の緑化は、地球温暖化やヒートアイランド現象の抑制にきわめて有効なだけでなく建物自体を保護し、さらに豊かな街並みを創出し、人々に安らぎをあたえる。
【０００４】
特に建物の壁面は、屋上空間よりも面積的に広く、隣接する建物や歩行者などの周囲から目に留まりやすいため、ヒートアイランド対策と環境改善に非常に有効であると考えられている。
【０００５】
このため、建物の屋上や壁面の緑化には、これまで官民共に様々な方法で取り組んできており、そのうち屋上緑化はかなり研究が進み、実績を積んでいる。
【０００６】
しかし、壁面緑化については研究が始まったばかりで、未だ決定的なものは開発されていないのが現状であり、特に都市部におけるヒートアイランド対策として早急の開発が望まれている。
【０００７】
従来の壁面緑化法としては、例えば、直接登はん型、巻き付き登はん型、下垂型、ユニット型、プランター型などが一般に知られている。
【０００８】
直接登はん型は、建物の外壁の前に付着型の植物を植栽し、植物が壁に付着する特性を利用して植物が壁面を直接登はんすることにより壁面緑化を図る方法である。
【０００９】
巻き付き登はん型は、壁面にワイヤーまたはネット等の格子状の補助部材を設置し、これに巻き付き型のツル植物が絡まりながら生長することにより壁面緑化を図る方法である。
【００１０】
下垂型は、ツル植物を上から垂らし壁面緑化を図るものであり、また、ユニット型は建物の壁面に沿って受け用のフレームを組み立て、これに植物と植栽基盤を一体化させたユニットを設置して壁面の緑化を図る方法であり、そしてプランター型は前記フレームにプランターを設置することにより壁面緑化を図る方法である。
【００１１】
【特許文献１】特開２００２−１０１７６４号公報
【特許文献２】特開２００２−１３８６６３号公報
【特許文献３】特開平６−２２５６４５号公報
【発明の開示】
【発明が解決しようとする課題】
【００１２】
しかし、直接登はん型や巻き付き登はん型は、植物自身の登はん力を利用するものであるため、壁面緑化用として植栽可能な植物はかなり限られるという課題があった。
【００１３】
また、植物が生長するにつれ、その重みによって壁面から剥離してしまうことがあるため、直接登はん型の場合には植物が壁面に付着して繁茂しやすいように壁面を粗面にする等の加工を施す必要があり、巻き付き登はん型の場合にはネット等の補助部材を設置する必要があった。
【００１４】
一方、ユニット型やプランター型は、ユニットやプランターの重量がかなり嵩むことから、これらを受けるフレームは強固な構造に組み立てる必要があり、そのため、大規模な工事を強いられるだけでなく、建物に余計な負担がかかるため、設計の段階から壁面構造の荷重負荷を考慮する必要があると共に、地震や強風時に脱落、破損等しないように耐久性、安全性を充分に確保する必要があった。
【００１５】
本発明は、以上の課題を解決するためになされたもので、建物の外壁、あるいは擁壁などの土木構造物の壁面の緑化を容易にかつ経済的に行なえるようにした壁面緑化構造体および壁面緑化工法を提供することを目的とする。
【課題を解決するための手段】
【００１６】
請求項１記載の壁面緑化構造体は、コンクリートを主体とする構造体と当該構造体の表面部に取り付けられた緑化促進用パネルと植生基盤材とからなり、前記緑化促進用パネルは凹部と凸部が交互に隣接して凹凸状に形成された複数のラス金網を重ね合わせて構成され、前記植生基盤材は前記複数のラス金網の間に取り付けられていることを特徴とするものである。
【００１７】
本発明は、建物の外壁、あるいは擁壁などの土木構造物の壁面にラス金網からなる緑化促進用パネルを取り付け、当該パネルの表面を植物が登はん力を利用して這うように生長することにより壁面の緑化を可能にしたものである。  
【００１８】
特に本発明は、緑化促進用パネルがラス金網から形成されていることで、植物が網目に巻き付いたり吸着したりする等して付着しやすく、壁面からはがれ難いため、植物の生育を促し壁面全体を広い範囲に渡って効率的に緑化することができる。
【００１９】
また、緑化促進用パネルには植生基盤材が取り付けられているため、植物は緑化促進用パネルに単に付着または吸着するだけでなく、植生基盤材に根を伸ばしながら生長するため、植栽可能な植物として壁面に付着しやすい吸盤型ツル植物にかぎられず、気根型ツル植物なども植栽することができ、したがって利用可能な植物種も拡大し、季節感などを取り込んだ自由な壁面緑化を図ることができる。
【００２０】
また、植生基盤材は建物の外断熱材をも兼ねるため、コンクリートの持つ熱反射、熱保留などのヒートアイランド現象の抑制等に効果を発揮する。
【００２１】
さらに、緑化促進用パネルはラス金網から形成され、当該ラス金網はコンクリートを主体とする構造体、例えばＲＣ構造の外壁などを場所打ちコンクリートで構築する際に、コンクリート型枠の堰板として利用できるものであるため、ＲＣ構造体の構築と同時に当該ＲＣ構造体の一部として壁面緑化の施工を行なうことができ、しかもラス金網は撤去する必要がないので、緑化工事をきわめて効率的かつ経済的に行なうことができる。
【００２２】
また、ラス金網は曲げ加工が比較的容易であり、しかも任意の形状に曲げ加工が可能なため、突部と凹部が交互に隣接して凹凸状に加工することが容易であり、また曲面をなす壁面の緑化も行なうことができる。
【００２３】
なお、ここで用いられるラス金網は、本来のラス金網に限定されるものではなく、少なくともコンクリート型枠の堰板として利用可能な強度（特に剛性）と網目（大きさ）を持つものであればよく、通常の金網や鉄筋格子、あるいはパンチングメタル、さらにはリブ付ラス金網、網目が縦長の亀甲網状に形成されたラス金網、網目が縦長の亀甲網状に形成されたリブ付ラス金網なども用いることができる。
【００２４】
また、凹部と突部が交互に隣接して凹凸状に形成されたラス金網を用いることは、金網自身の強度（特に剛性）を確保する上で有効なだけでなく、植生基盤材を取り付けるための収納スペースを容易に確保することができて植生基盤材の取り付けが容易になる。
【００２５】
なお、凹凸状のラス金網は平板状のラス金網を所定の間隔で凹凸状に交互に折り曲げて波板状に形成するか、あるいはラス金網自体を網部とリブを交互に隣接させて凹凸状に形成することができる。
【００２６】
植生基盤材には特に植物が着根しやすく、かつ保水性と吸水性に優れたものがよく、例えばピート板などの有機物資材やニードルパンチ等の繊維材などを用いることができる。
【００２７】
また、植生基盤材としてパネル状に一定の形態に形成されたものを用いれば、取り付け作業が容易になる。
【００２８】
請求項２記載の壁面緑化構造体は、請求項１記載の壁面緑化構造体において、重ね合わせた複数のラス金網のうち、表面側に配置されたラス金網の凹部の内法幅および深さが、その背面側に配置されたラス金網の凹部の内法幅および深さよりも小さく、かつ表面側に配置されたラス金網の表面側の凹部を緑化促進用空間としたことを特徴とするものである。
【００２９】
本発明は、表面側に配置されたラス金網の表面側の各凹部を上下方向に連続する溝状の緑化促進用空間とし、この部分に植栽することにより、植生の根付けを容易にして、たとえばツル系植物などの生育を促進するようにしたものである。この場合、緑化促進用空間の内法幅と深さは、植栽される植物の種類(特性)に応じて設定することができる。概ね内法幅は３０〜４０ｍｍ、深さは１５〜２０ｍｍ程度あればよい。
【００３０】
請求項３記載の壁面緑化構造体は、コンクリートを主体とする構造体と当該構造体の表面部に取り付けられた緑化促進用パネルと植生基盤材とからなり、前記緑化促進用パネルは凹部と凸部が交互に隣接して凹凸状に形成されたラス金網と平板状に形成されたラス金網を重ね合わせて構成され、前記植生基盤材は前記複数のラス金網の間に取り付けられていることを特徴とするものである。
【００３１】
本発明は特に、緑化促進用パネルを凹凸状に形成されたラス金網と平板状に形成されたラス金網から構成し、平板状に形成されたラス金網側を表にして構造体と一体的に取り付けることにより、構造体の壁面をフラットな壁面に仕上げることができる。
【００３２】
請求項４記載の壁面緑化構造体は、請求項１または２記載の壁面緑化構造体において、平板状のラス金網は縦型亀甲状網部と複数の補強リブを交互に配置して構成されていることを特徴とするものである。
【００３３】
本発明は、ラス金網に複数の縦補強リブを一定の間隔で設けることによりラス金網の剛性を高め、また、各リブ間の網部の形状を縦長の亀甲状とし、かつ各リブ間を上下方向に連続する溝状の緑化促進用空間とすることにより、植生の根付けを容易にして、たとえばツル系植物などの生育を促進するようにしたものである。
【００３４】
なお、この場合の補強リブの間隔と高さ、すなわち各補強リブ間に形成される溝状の緑化促進用空間の深さと幅は、植栽される植物の種類(特性)に応じて設定することができる。概ね補強リブの間隔は３０〜４０ｍｍ、補強リブの高さは１５〜２０ｍｍ程度あればよい。また、補強リブの断面形状はコの字形またはＶ字形などとすることができる。なお、緑化促進用空間を設けないで、ラス金網の剛性のみを高めるときは板状(帯状)としてもよい。
【００３５】
請求項５記載の壁面緑化構造体は、コンクリートを主体とする構造体と当該構造体の表面部に取り付けられた緑化促進用パネルと植生基盤材とからなり、前記緑化促進用パネルは凹部と突部が交互に隣接して凹凸状に形成されたラス金網から構成され、前記植生基盤材は前記構造体と前記緑化促進用パネルとの間に取り付けられ、かつ前記緑化促進用パネルの表面側の凹部を緑化促進用空間としたことを特徴とするものである。
【００３６】
本発明は特に、緑化促進用パネルの表側に形成された凹部を各緑化促進用空間として利用し、この緑化促進用空間内で植物がラス金網の網目に絡みついたり吸着したり、あるいは植生基盤材に根を伸ばしながら生長することで、壁面全体の緑化を図るようにしたものである。
【００３７】
この場合の緑化促進用空間は、凹凸状に形成されたラス金網の各凹溝によって上下方向に連続した状態に形成することができる。そして、この緑化促進用空間、すなわち各凹溝内に植栽された植物は、凹溝の背面を這うように生長するため、地震時の揺れや強風にあおられて壁面から剥がれ落ちるようなことがない。
【００３８】
請求項６記載の壁面緑化工法は、ラス金網からなる緑化促進用パネルに植生基盤材を取り付ける工程と、前記緑化促進用パネルを堰板にしてコンクリート型枠を組み立てる工程と、前記コンクリート型枠内にコンクリートを打設する工程とからなることを特徴するものである。
【００３９】
本発明によれば、緑化促進用パネルがラス金網から形成されていることにより、緑化促進用パネルをコンクリート型枠の堰板としても利用することができ、またコンクリート構造体の構築と同時にコンクリート構造体の壁面緑化を行なうことが可能なため、壁面緑化を効率的かつ経済的に行なうことができる。
【００４０】
また、建物の壁面緑化はもとより、高速道路などの土留め壁、トンネル入り口の鏡面壁、山留擁壁、ブロック壁などの壁面緑化も容易に行なうことができ、しかも老朽化した建物や構造物の壁面緑化も補修と同時に行なうことができ、さらには平坦な壁面に限らず、凹凸面状の壁面や円柱の表面緑化なども容易に行うことができる。
【００４１】
請求項７記載の壁面緑化工法は、請求項６記載の壁面緑化工法において、緑化促進用パネルに植生基盤材を先付けし、当該緑化促進用パネルと植生基盤材を同時に設置することを特徴とするものである。
【００４２】
本発明は、緑化促進用パネルと植生基盤材をユニット化することで、緑化促進用パネルと植生基盤材を同時に設置できるようにして施工の効率化を図れるようにしたものである。
【発明の効果】
【００４３】
本発明は、建物の外壁や擁壁などの土木構造物の壁面にラス金網からなる緑化促進用パネルを取り付け、当該パネルの表面を植物が登はん力を利用して這うように生長することにより壁面の緑化を可能にしたものであり、特に緑化促進用パネルがラス金網から形成されていることで、植物が網目に巻き付いたり吸着したりする等して付着しやすく、壁面からはがれ難いため、植物の生育を促し壁面全体を広い範囲に渡って効率的に緑化することができる等の効果を有する。
【００４４】
また、緑化促進用パネルには植生基盤材が取り付けられているため、植物は緑化促進用パネルに単に付着または吸着するだけでなく、植生基盤材に根を伸ばしながら生長するため、植栽可能な植物として壁面に付着しやすい吸盤型ツル植物にかぎられず、気根型ツル植物なども植栽することができ、したがって利用可能な植物種も拡大し、季節感などを取り込んだ自由な壁面緑化を図ることができる等の効果も有する。
【００４５】
さらに、緑化促進用パネルはラス金網から形成され、当該ラス金網はコンクリートを主体とする構造体、例えばＲＣ構造の外壁などを場所打ちコンクリートで構築する際に、コンクリート型枠の堰板として利用できるものであるため、ＲＣ構造体の構築と同時に当該ＲＣ構造体の一部として壁面緑化の施工を行なうことができ、しかもラス金網は撤去する必要がないので、緑化工事をきわめて効率的かつ経済的に行なうことができる。
【発明を実施するための最良の形態】
【００４６】
図１と図２は、本発明の一実施形態示し、図において、符号１は都心に建つ建物の外壁の一部を示し、現場打ちコンクリートによるＲＣ構造によって構築されている。
【００４７】
また、符号２は外壁１の前の地上に植栽された植物３が地上から這って生育していくための緑化促進用パネルであり、外壁１の表面部に外壁１と一体に取り付けられている。
【００４８】
そして、符号４は植物３が地上から徐々に生長すると共に、上方に這うように着根するための植生基盤材であり、緑化促進用パネル２に取り付けられている。
【００４９】
緑化促進用パネル２は、凹部と突部が横方向に交互に隣接する凹凸状に連続して形成された二枚のラス金網４，４を重ね合わせることにより構成され、外壁１を現場打ちコンクリートによって構築する際のコンクリート型枠の屋外側堰板を兼ねている。  
【００５０】
ラス金網４は、ラス金網４の上下方向に連続する複数の凹溝４ａ，４ａと当該凹溝４ａ，４ａ間に形成された縦リブ４ｂをラス金網４の幅方向に交互に連続して有し、かつ幅方向の両端部に平板状の継手４ｃ，４ｃをそれぞれ有している。
【００５１】
各縦リブ４ｂには複数の連結孔４ｄがラス金網４の上下方向に所定間隔おきに形成され、また両端の継手４ｃ，４ｃには複数の連結孔４ｅがそれぞれラス金網４の上下方向に所定間隔おきに形成され、特に連結孔４ｅ，４ｅは、ラス金網４の上下方向軸に対して対称形に４５度程度傾斜する長孔に形成されている。
【００５２】
なお、ラス金網４の網目の形状、大きさ、凹溝４ａの形状、幅、深さ、さらに縦リブ４ｂの形状や高さ等は特に限定されるものではなく、主としてコンクリート打設時の側圧に充分耐えうる強度（特に剛性）を有し、打設直後のコンクリートが漏出せず、かつ植物３が地上から這って上方に生育しやすいような形状と大きさに形成されている。
【００５３】
このように形成された二枚のラス金網４，４は、凹溝４ａ，４ａどうし、縦リブ４ｂ，４ｂどうしおよび継手４ｃ，４ｃどうしがそれぞれ互いに重なり合うように抱き合わせられ、かつ縦リブ４ｂ，４ｂの連結孔４ｄを貫通する複数の連結ボルト５によって一体的に連結されている。
【００５４】
そして、凹溝４ａ，４ａによって形成された上下方向に連続する各中空部６内に植生基盤材７が中空部６の上下方向に連続して充填されている。  植生基盤材７には特に、保水性と吸水性の高い素材、例えばピート板などの有機物資材またはニードルパンチ等の繊維材が用いられている。
【００５５】
このように構成された緑化促進用パネル２は、植生基盤材７と共に外壁１の表面部に外壁１と一体に取り付けられている。その際、緑化促進用パネル２は、外壁１と接する側のラス金網４が外壁１のコンクリートに埋設され、当該ラス金網４に対するコンクリートの付着力によって外壁１と一体になっている。
【００５６】
そして、外壁１の前の地上に植栽された植物３は、生長と共にラス金網４の網目を通って植生基盤材７に着根し、さらに緑化促進用パネル２の表面、すなわちラス金網４の網目に絡みついたり吸着したりしながら壁面を這うようにして上方に生育することにより外壁１の緑化が達成される。
【００５７】
次に、図３（ａ），（ｂ）に基づいて本発明の施工手順を説明する。
【００５８】
最初に、緑化促進用パネル２、すなわちラス金網４を用いて外壁１を構築するためのコンクリート型枠を組み立てる。その際、ラス金網４は外壁１の屋外側の堰板として設置し、室内側には在来の合板堰板８などを設置する。
【００５９】
また、ラス金網４は二枚、凹溝４ａ，４ａ側が対向するように重ね合わせると共に、凹溝４ａと凹溝４ａが重なり合うことにより形成された各中空部６内に植生基盤材７を充填する。
【００６０】
そして、双方の縦リブ４ｂ，４ｂを連結ボルト５によって連結する。こうして植生基盤材７を取り付けた緑化促進用パネル２と合板堰板８をフォータイボルト９によって強固に連結する。
【００６１】
また、横方向に隣接する緑化促進用パネル２，２どうしは、双方の端部に突設された継手４ｃ，４ｃを重ね合わせ、双方の継手４ｃに形成された連結孔４ｅ，４ｅに連結ボルト５を締め付けることによって連結する。
【００６２】
その際、双方の連結孔４ｅ，４ｅがラス金網４の上下方向に対して４５度程度対称に傾斜する長孔に形成されているので、隣接する緑化促進用パネル２，２間の幅方向の建て付け調整を行なうことができる。
【００６３】
また、現地の作業ヤード等であらかじめ、二枚のラス金網４，４から緑化促進用パネル２を組み立て、これに植生基盤材７を取り付け、緑化促進用パネル２と植生基盤材７を一体なものとしてコンクリート型枠を組み立てるようにすれば、型枠の組み立てを効率的に行なうことができる。
【００６４】
次に、こうしてコンクリート型枠の組み立てが完了したら、当該型枠内に鉄筋を配筋し、コンクリートを打設する。
【００６５】
そして、コンクリート打設後、所定の養生期間を経てコンクリートが充分な強度に達したら、緑化促進用パネル２は外壁１の一部として残し、屋内側の合板堰板８のみを撤去して、外壁１の施工は完了する。
【００６６】
図４、図５および図６は、本発明の他の実施形態を示し、そのうち、図４（ａ），（ｂ）の実施形態は、緑化促進用パネル２を構成する二枚のラス金網４のうち、表面側のラス金網４に凹溝と縦リブがなく、両端に図２（ｂ）に図示する継手４ｃを有し、かつ図２（ｃ）に図示する縦リブ４ｂが設けられた位置に、当該縦リブ４ｂに変わるフラット状に形成された帯条（図省略）を有するラス金網が用いられた例を示したものである。
【００６７】
この場合の二枚のラス金網４，４は、縦リブ４ｂと帯条が重なり合うように抱き合わせられ、縦リブ４ｂと帯条に形成された連結孔に連結ボルト５を締め付けることにより一体的に連結されている。
【００６８】
また、凹溝４ａからなる各中空部６に植生基盤材７がそれぞれ充填されている。この緑化促進用パネル２を利用すれば、壁面を平坦に仕上げることができる。
【００６９】
図５と図６に図示する実施形態においては、緑化促進用パネル２が突部と凹部が交互に隣接する凹凸状に形成された一枚のラス金網４から構成され、当該緑化促進用パネル２は凹溝４ａを有する側を表面にして設置され、そして当該緑化促進用パネル２とコンクリート構造体１との間に植生基盤材７が設置されている。
【００７０】
また、緑化促進用パネル２の表面側には、ラス金網４の凹溝４ａからなる緑化促進用空間１０が複数、緑化促進用パネル２の上下方向に連続して形成されている。
【００７１】
そして、各緑化促進用空間１０内に植栽された植物３は、すなわち各凹溝４ａ内に植栽された植物３は、凹溝４ａの背面および両側の三面の網目を這うようにして生長することで壁面緑化が達成される。
【００７２】
図７と図８は、同じく本発明の他の実施形態を示し、特に緑化促進用パネル２が突部と凹部が交互に隣接する凹凸状に形成されたラス金網４と当該ラス金網４の外側に重ねて設置された平板状のリブ付ラス金網１１とから構成されている。
【００７３】
リブ付ラス金網１１は、例えば図８(ａ)，(ｂ)に図示するように網部１１ａと複数の補強リブ１１ｂを横方向に交互に配置して構成され、特に網部４ａは縦長の亀甲形網目状に形成され、補強リブ１１ｂは上下方向に連続して形成されている。
【００７４】
また、各補強リブ１１ｂ，１１ｂ間に当該補強リブ１１ｂ，１１ｂと網部１１ａとから外側に開口する溝状の緑化促進用空間１０が上下方向に連続して形成されている。
【００７５】
各補強リブ１１ｂ，１１ｂ間の間隔と高さ、すなわち緑化促進用空間１０の深さと内法幅は、植栽される植物の種類(特性)に応じて設定され、そのため補強リブ１１ｂ，１１ｂ間の間隔は概ね３０〜４０ｍｍ、補強リブ１１ｂの高さは概ね１５〜２０ｍｍ程度に設定されている。また、補強リブ１１ｂの断面形状はコの字形またはＶ字形に形成されている。
【００７６】
なお、ラス金網４とリブ付ラス金網１１との結合、ラス金網４とリブ付ラス金網１１間の中空部６内に植生基盤材７が充填されている点等、その他の構成は図１〜図６の実施例で説明した構成と同じである。また、補強リブ１１ａの裏側中空部は、スペ−ス的に植生基盤材７の充填が困難なときは充填を省略してもよい。
【００７７】
リブ付きラス金網１１がこのように構成されていることで、ラス金網の剛性が高められている。また、各補強リブ１１ｂ，１１ｂ間の網部１１ａの網目形状が縦長の亀甲形状に形成され、かつ各補強リブ１１ｂ，１１ｂ間に上下方向に連続する溝状の緑化促進用空間１０が設けられていることにより、植生の根付けを容易にして、たとえばツル系植物などの生育を促進させることができる。
【産業上の利用可能性】
【００７８】
本発明は、都心に建つ建物の壁面緑化はもとより、高速道路などの土留め壁、トンネル入り口の鏡面壁、山留擁壁、ブロック壁などの壁面緑化も行なうことができる。
【図面の簡単な説明】
【００７９】
【図１】緑化された建物の外壁を示し、（ａ）は横断面図、（ｂ）は拡大横断面図である。
【図２】緑化された建物の外壁を示し、（ａ）は分解斜視図、（ｂ）緑化促進用パネルの一部正面図、（ｃ）は横断面図である。
【図３】外壁を緑化するための施工方法を示し、（ａ）は横断面図、（ｂ）は一部正面図である。
【図４】緑化された建物の外壁の他の例を示し、（ａ）は横断面図、（ｂ）は拡大横断面図である。
【図５】緑化された建物の外壁の他の例を示し、（ａ）は横断面図、（ｂ）は拡大横断面図である。
【図６】緑化された建物の外壁を示し、（ａ）は緑化促進用パネルとして凹凸状に形成されたラス金網を用いた例を示す一部分解斜視図、（ｂ）は緑化促進用パネルとして凹凸状に形成されたラス金網を用いた例を示す一部分解斜視図、（ｃ）は要部拡大図である。
【図７】緑化された建物の外壁を示し、（ａ）は横断面図、（ｂ）は拡大横断面図である。
【図８】リブ付ラス金網の一例を示し、(ａ)は正面図、(ｂ)はリブ付ラス金網の網部の拡大図である。
【符号の説明】
【００８０】
１  外壁（コンクリートを主体とする構造体）
２  緑化促進用パネル
３  植物
４  ラス金網
５  連結ボルト
６  中空部
７  植生基盤材
８  合板堰板
９  フォームタイボルト
１０  緑化促進用空間
１１  リブ付ラス金網
【図１】
2008263958.tif 000003
【図２】
2008263958.tif 000004
【図３】
2008263958.tif 000005
【図４】
2008263958.tif 000006
【図５】
2008263958.tif 000007
【図６】
2008263958.tif 000008
【図７】
2008263958.tif 000009
【図８】
2008263958.tif 000010